(57)【要約】【課題】個々のクライアントの現在持っている又は将来持つであろう関心毎を的確に捉えることを可能にする関心事作成装置、関心事作成方法、そのプログラム、及びそのプログラムを記録した記録媒体を提供する。【解決手段】想定関心事データベース１２に登録されたカテゴリ毎の検索条件に基づいて、所定期間毎に情報サイト３０の検索を検索サーバ２０に実行させる。得られた検索結果に含まれるＵＲＬに対応するサイトの更新日が所定期間に含まれるもののみ限定して想定関心事データベース１２に格納する。ユーザは、端末１３を用いて検索結果を閲覧し、これに基づいてカテゴリ毎の想定関心事を作成する。作成した想定関心事は、カテゴリと対応付けて想定関心事データベース１２に登録する。【選択図】　　　　図１
2004021726.tif 000002
【特許請求の範囲】
【請求項１】
ネットワーク上に存在する所定のサイトを検索する検索サーバに所定の検索条件を与えて検索結果を取得する関心事作成装置であって、
クライアントのニーズを分類したカテゴリ毎の検索条件を、定期的又は所定のタイミングで前記検索サーバへ入力する検索条件入力手段と、
前記検索サーバで得られた検索結果を取得する検索結果取得手段と、
前記検索結果を前記カテゴリに対応付けて格納する検索結果格納手段と、
を有することを特徴とする関心事作成装置。
【請求項２】
請求項１記載の前記関心事作成装置であって、
前記検索結果取得手段で取得した前記検索結果に対応するサイトの更新日を特定するサイト更新日特定手段と、
前記検索結果取得手段で取得した前記検索結果において、前記更新日特定手段で特定された更新日が所定の期間外である検索結果を破棄する期間限定手段と、を有し、
前記検索結果格納手段は、期間毎の検索結果を格納することを特徴とする関心事作成装置。
【請求項３】
請求項１又は２記載の前記関心事作成装置であって、
前記検索条件は、所定のクライアント毎に用意されており、
前記検索結果格納手段は、前記所定のクライアント毎に前記カテゴリに対応付けて前記検索結果を格納することを特徴とする関心事作成装置。
【請求項４】
ネットワーク上に存在する所定のサイトを検索する検索サーバに所定の検索条件を与えて検索結果を取得する関心事作成方法であって、
クライアントのニーズを分類したカテゴリ毎の検索条件を、定期的又は所定のタイミングで前記検索サーバへ入力する検索条件入力行程と、
前記検索サーバで得られた検索結果を取得する検索結果取得行程と、
前記検索結果を前記カテゴリと対応付ける検索結果対応付け行程と、
を有することを特徴とする関心事作成方法。
【請求項５】
請求項４記載の前記関心事作成方法であって、
前記検索結果取得行程で取得した前記検索結果に対応するサイトの更新日を特定するサイト更新日特定行程と、
前記検索結果取得行程で受信された前記検索結果において、前記更新日特定行程で特定された更新日が所定の期間外である検索結果を破棄する期間限定行程と、を有し、
前記検索結果格納行程は、期間毎に検索結果を格納することを特徴とする関心事作成方法。
【請求項６】
請求項４又は５記載の前記関心事作成方法であって、
前記検索条件は、所定のクライアント毎に用意されており、
前記検索結果格納行程は、前記所定のクライアント毎に前記カテゴリに対応付けて前記検索結果を格納することを特徴とする関心事作成方法。
【請求項７】
ネットワーク上に存在する所定のサイトを検索する検索サーバに所定の検索条件を与えて検索結果を取得するコンピュータを機能させるためのプログラムであって、
クライアントのニーズを分類したカテゴリ毎の検索条件を、定期的又は所定のタイミングで前記検索サーバへ入力する検索条件入力処理と、
前記検索サーバで得られた検索結果を取得する検索結果取得処理と、
前記検索結果を前記カテゴリに対応付けられた所定の記憶領域に格納する検索結果格納処理と、
を前記コンピュータに実行させるためのプログラム。
【請求項８】
請求項７記載の前記プログラムであって、
前記検索結果取得処理で取得した前記検索結果に対応するサイトの更新日を特定するサイト更新日特定処理と、
前記検索結果取得処理で受信された前記検索結果において、前記更新日特定処理で特定された更新日が所定の期間外である検索結果を破棄する期間限定処理と、を前記コンピュータに実行させ、
前記検索結果格納処理は、期間毎に検索結果を格納させることを特徴とするプログラム。
【請求項９】
請求項７又は８記載の前記プログラムであって、
前記検索条件入力処理は、所定のクライアント毎に前記検索条件を前記検索サーバに入力させ、
前記検索結果格納処理は、前記所定のクライアント毎に前記カテゴリに対応付けて前記検索結果を格納させることを特徴とするプログラム。
【請求項１０】
請求項７から９の何れか１項に記載の前記プログラムを記録した記録媒体。
【発明の詳細な説明】
【０００１】
【発明の属する技術分野】
本発明は、関心事作成装置、関心事作成方法、そのプログラム、及びそのプログラムを記録した記録媒体に関する。
【０００２】
【従来の技術】
ソリューション販売において、従来ではクライアント（以下、ＣＬという）への初期のコンタクトからアフターフォローまでを個々の営業担当者が独自の判断で行っていた。
【０００３】
このため各営業者は、ＣＬがどのような問題点や改善点を持ち、ソリューションとして何を望んでいるかを独自の方法で調査しなければならなかった。
【０００４】
【発明が解決しようとする課題】
しかしながら、現状においてＣＬ側が要望するソリューションは、規模や業種毎に依存することなく、個々の経営体質に応じて変化するものとなっている。このため、従来のやり方では、ＣＬ側が何を望んでいるかを的確に捉えることが難しくなってきている。
【０００５】
従って、本発明は、上記問題に鑑みてなされたものであり、個々のクライアントの現在持っている又は将来持つであろう関心毎を的確に捉えることを可能にする関心事作成装置、関心事作成方法、そのプログラム、及びそのプログラムを記録した記録媒体を提供することを目的とする。
【０００６】
【課題を解決するための手段】
係る目的を達成するために、請求項１記載の発明は、ネットワーク上に存在する所定のサイトを検索する検索サーバに所定の検索条件を与えて検索結果を取得する関心事作成装置であって、クライアントのニーズを分類したカテゴリ毎の検索条件を、定期的又は所定のタイミングで前記検索サーバへ入力する検索条件入力手段と、前記検索サーバで得られた検索結果を取得する検索結果取得手段と、前記検索結果を前記カテゴリに対応付けて格納する検索結果格納手段と、を有することを特徴としている。
【０００７】
これにより、本発明では、個々のクライアントの現在持っている又は将来持つであろう関心毎を的確に捉えられる関心事作成装置が提供される。即ち、本発明では、クライアントのニーズに適応した検索条件を用いて定期的又は任意のタイミングでサイトの検索を行うことにより、略リアルタイムでクライアントに生じるであろう関心事を作成することが可能となる。
【０００８】
更に、請求項２記載の発明は、上記の関心事作成装置であって、前記検索結果取得手段で取得した前記検索結果に対応するサイトの更新日を特定するサイト更新日特定手段と、前記検索結果取得手段で取得した前記検索結果において、前記更新日特定手段で特定された更新日が所定の期間外である検索結果を破棄する期間限定手段と、を有し、前記検索結果格納手段が、期間毎の検索結果を格納することを特徴としている。
【０００９】
これにより、本発明では、情報の新鮮さを限定しているため、よりリアルタイムにクライアントの関心事を作成することが可能となり、また、関心事の取得側における古い情報を選別する手間を省くことが可能となる。
【００１０】
更に、請求項３記載の発明は、上記の関心事作成装置であって、前記検索条件が、所定のクライアント毎に用意されており、前記検索結果格納手段が、前記所定のクライアント毎に前記カテゴリに対応付けて前記検索結果を格納することを特徴としている。
【００１１】
これにより、本発明では、クライアント毎に要求されるニーズを特定し、これに応じてきめ細やかな関心事を作成することが可能となる。
【００１２】
また、請求項４記載の発明は、ネットワーク上に存在する所定のサイトを検索する検索サーバに所定の検索条件を与えて検索結果を取得する関心事作成方法であって、クライアントのニーズを分類したカテゴリ毎の検索条件を、定期的又は所定のタイミングで前記検索サーバへ入力する検索条件入力行程と、前記検索サーバで得られた検索結果を取得する検索結果取得行程と、前記検索結果を前記カテゴリと対応付ける検索結果対応付け行程と、を有することを特徴としている。
【００１３】
これにより、本発明では、個々のクライアントの現在持っている又は将来持つであろう関心毎を的確に捉えられる関心事作成方法が提供される。即ち、本発明では、クライアントのニーズに適応した検索条件を用いて定期的又は任意のタイミングでサイトの検索を行うことにより、略リアルタイムでクライアントに生じるであろう関心事を作成することが可能となる。
【００１４】
更に、請求項５記載の発明は、上記の関心事作成方法であって、前記検索結果取得行程で取得した前記検索結果に対応するサイトの更新日を特定するサイト更新日特定行程と、前記検索結果取得行程で受信された前記検索結果において、前記更新日特定行程で特定された更新日が所定の期間外である検索結果を破棄する期間限定行程と、を有し、前記検索結果格納行程が、期間毎に検索結果を格納することを特徴としている。
【００１５】
これにより、本発明では、情報の新鮮さを限定しているため、よりリアルタイムにクライアントの関心事を作成することが可能となり、また、関心事の取得側における古い情報を選別する手間を省くことが可能となる。
【００１６】
更に、請求項６記載の発明は、上記の関心事作成方法であって、前記検索条件が、所定のクライアント毎に用意されており、前記検索結果格納行程が、前記所定のクライアント毎に前記カテゴリに対応付けて前記検索結果を格納することを特徴としている。
【００１７】
これにより、本発明では、クライアント毎に要求されるニーズを特定し、これに応じてきめ細やかな関心事を作成することが可能となる。
【００１８】
また、請求項７記載の発明は、ネットワーク上に存在する所定のサイトを検索する検索サーバに所定の検索条件を与えて検索結果を取得するコンピュータを機能させるためのプログラムであって、クライアントのニーズを分類したカテゴリ毎の検索条件を、定期的又は所定のタイミングで前記検索サーバへ入力する検索条件入力処理と、前記検索サーバで得られた検索結果を取得する検索結果取得処理と、前記検索結果を前記カテゴリに対応付けられた所定の記憶領域に格納する検索結果格納処理と、を前記コンピュータに実行させる。
【００１９】
これにより、本発明では、個々のクライアントの現在持っている又は将来持つであろう関心毎を的確に捉えさせる環境を実現するプログラムが提供される。即ち、本発明では、クライアントのニーズに適応した検索条件を用いて定期的又は任意のタイミングでサイトの検索を行うことにより、略リアルタイムでクライアントに生じるであろう関心事を作成ことを可能とする環境を提供することができる。
【００２０】
更に、請求項８記載の発明は、上記のプログラムであって、前記検索結果取得処理で取得した前記検索結果に対応するサイトの更新日を特定するサイト更新日特定処理と、前記検索結果取得処理で受信された前記検索結果において、前記更新日特定処理で特定された更新日が所定の期間外である検索結果を破棄する期間限定処理と、を前記コンピュータに実行させ、前記検索結果格納処理が、期間毎に検索結果を格納させることを特徴としている。
【００２１】
これにより、本発明では、情報の新鮮さを限定しているため、よりリアルタイムにクライアントの関心事を作成することが可能な環境を提供することができ、また、関心事の取得側における古い情報を選別する手間を省くことが可能な環境を提供することができる。
【００２２】
更に、請求項９記載の発明は、上記のプログラムであって、前記検索条件入力処理が、所定のクライアント毎に前記検索条件を前記検索サーバに入力させ、前記検索結果格納処理が、前記所定のクライアント毎に前記カテゴリに対応付けて前記検索結果を格納させることを特徴としている。
【００２３】
これにより、本発明では、クライアント毎に要求されるニーズを特定し、これに応じてきめ細やかな関心事を作成することが可能な環境を提供することができる。
【００２４】
また、請求項１０記載の発明は、上記の何れかに記載のプログラムを記録媒体に記録したものである。
【００２５】
これにより、本発明では、上記の効果を奏するプログラムを記録媒体を用いて広く頒布することが可能となる。
【００２６】
【発明の実施の形態】
〔特徴〕
本発明を説明するにあたり、本発明の特徴について先に述べる。
【００２７】
本発明は、ＩＴ（Ｉｎｆｏｒｍａｔｉｏｎ　Ｔｅｃｈｎｏｌｏｇｙ）システムや事業体系等を顧客企業等（以下、クライアント（ＣＬ）という）へ提案する又は提供するもの（以下、これをマネジメント・コンサルティング（ＭＣ）側という）において、ＣＬ側が現在又は将来関心をもつであろう事柄（以下、関心事という）を容易に特定し、作成するためのものである。
【００２８】
これを実現するために、本発明では、クライアントのニーズに対応して検索条件を予め設定しておき、この検索条件を用いて定期的又は任意のタイミングでサイトの検索を行う。これにより、本発明では、略リアルタイムでクライアントに生じるであろう関心事に纏わる情報を得ることができる。
【００２９】
また、本発明では、ＣＬの現在の関心事をより的確に捉えるために、期間を指定して情報を取得する構成を有する。
【００３０】
以下、本発明を好適に実施した形態について詳細に説明する。
【００３１】
〔第１の実施例〕
まず、本発明を好適に実施した第１の実施例について図面を用いて詳細に説明する。
【００３２】
図１は、本実施例による関心事作成システムの概略構成を示すブロック図である。図１を参照すると、関心事作成システムでは、関心事作成サーバ１１と想定関心事データベース１２と端末１３とがＬＡＮ（Ｌｏｃａｌ　Ａｒｅａ　Ｎｅｔｗｏｒｋ）１４を介して接続される。また、ＬＡＮ１４は、インターネット１を介して検索サーバ２０及び情報サイト３０と接続されている。
【００３３】
上記構成において、関心事作成サーバ１１は、検索サーバ２０へ検索条件を入力する。検索サーバ２０は、入力された検索条件に基づいてインターネット１上に設けられた情報サイトを検索し、ホームページのＵＲＬ（Ｕｎｉｆｏｒｍ　Ｒｅｓｏｕｒｃｅ　Ｌｏｃａｔｏｒ）を特定する。また、検索サーバ２０は、検索により得られたＵＲＬを検索結果として関心事作成サーバ１１へ送信する。関心事作成サーバ１１は、受信した検索結果を想定関心事データベース１２における所定の領域に格納する。
【００３４】
図２に本実施例による想定関心事データベース１２のデータ構成を示す。尚、本実施例では、想定関心事データベース１２を、通常のファイル形式で作成しても、リレーショナルデータベース等の所定のデータベースとして作成しても良い。
【００３５】
図２を参照すると、想定関心事データベース１２は、分類と項目（中分類）と視点チェックリストと想定関心事と検索キーと検索式と検索結果とを対応付けて格納している。
【００３６】
ここで、分類及び項目（中分類）とはクライアントの関心事をその分野に応じて分類するためのものである。視点チェックリストとは分類及び項目で分類されるカテゴリでの関心事を予測する際に参考とする項目のリストである。想定関心事とは関心事と対応するものであり、ＣＬ側へ提案する前段階でＭＣ側が用意した関心事である。検索キーとは対応するカテゴリでの関心事を取得する際に用いるキーワードである。検索式とはこのキーワードを組み合わせてなるものであり、検索サーバ２０へ与える検索条件である。検索結果とは上記の検索条件に基づいて得られた結果である。尚、本実施例では、図３に示すように、検索条件を期間に対応付けて格納するように構成すると良い。
【００３７】
また、図４に関心事作成サーバ１１の機能構成を示す。尚、関心事検索サーバ１１は、ワークステーションやネットワーク対応のパーソナルコンピュータ等で構成されるものである。
【００３８】
図４を参照すると、関心事作成サーバ１１は、想定関心事データベース１２に格納された検索結果をＬＡＮ１４を介して接続された端末１３に送信する検索結果送信部１１０と、想定関心事データベース１２に登録された想定関心事（分類，項目（中分類）を含んでも良い）を端末１３を用いて更新させる想定関心事更新部１１１と、端末１３から受信した検索キー及び検索式を想定関心事データベース１２に登録する検索条件登録部１１２と、端末１３から入力された又は所定のアルゴリズムで決定した期間の項目を想定関心事データベース１２に作成する検索期間指定部１１３と、インターネット１を介して接続された検索サーバ２０へ検索キー及び検索式より成る検索条件を入力する検索条件入力部１１４と、入力した検索条件に基づいて得られた検索結果を検索サーバ２０から取得する検索結果取得部１１５と、取得した検索結果に対応するサイトの更新日を特定する更新日特定部１１６と、特定した更新日が検索期間指定手段１１２で作成された期間の項目毎に含まれる検索結果のみを想定関心事データベース１２における所定の項目に格納する検索結果格納部１１７と、を有して構成される。
【００３９】
従って、関心事作成サーバ１１は、想定関心事データベース１２に登録された検索条件を検索サーバ２０へ入力し、これに応じて検索サーバ２０から検索結果を取得する。次に、関心事作成サーバ１１は、検索結果に含まれるＵＲＬに基づいて対応のサイトを取得し、このサイトの更新日を特定する。この際の動作は、サイトにおける『更新（日）』や『Ｕｐ　Ｄａｔｅ』等の文字列を特定し、これの前／後に連続する年月日を特定することで実現できる。また、このように更新日を特定した後、関心事作成サーバ１１は、各サイトに関して特定した更新日が所定の期間に属するか否かを判定し、属さないサイトのＵＲＬを検索結果より破棄する。但し、所定の期間は、端末１３より入力された期間であっても、検索期間指定部１１３において所定のアルゴリズム（例えば週毎）で決定された期間であってもよい。その後、関心事作成サーバ１１は、残った検索結果を想定関心事データベース１２における該当する期間に対応付けて格納する。
【００４０】
また、ＭＣ側のユーザは、端末１３を用いて関心事作成サーバ１１にアクセスし、想定関心事データベース１２に登録されている検索結果を参照する。更に、参照した内容に基づいて、端末１３より想定関心事データベース１２の想定関心事を更新することができる。
【００４１】
尚、検索条件入力部１１４から検索結格納部１１７までの動作は、検索期間指定部１１３で決定された期間の満了日の２４時以降に自動的に実行されるように構成するとよい。
【００４２】
このように構成し、動作させることで、本実施例では想定関心事データベース１２における想定関心事を、新鮮な情報を用いて更新させることが可能となり、ＭＣ側に的確にＣＬ側のニーズを捉えさせることができる。
【００４３】
次に、本実施例による動作を図面を用いて詳細に説明する。
【００４４】
図５は、ＭＣ側のユーザが端末１３を用いて想定関心事データベース１２の登録内容（検索条件（検索キー及び検索式），期間，想定関心事，分類，項目（中分類）等）を更新する際の動作を示すシーケンスである。
【００４５】
図５を参照すると、本動作では、まずＭＣ側のユーザが端末１３より関心事作成サーバ１１へ登録内容の更新を要求する（Ａ１→Ｂ１）。このように更新が要求されると、関心事作成サーバ１１は、想定関心事データベース１２の登録内容を要求する（Ｂ２→Ｃ１）。この要求に対して想定関心事データベース１２は、登録内容を読み出し、これを関心事作成サーバ１１へ送信する（Ｃ２→Ｂ３）。登録内容を受信した関心事作成サーバ１１は、これに基づいて図７に示す入力画面を作成し（Ｂ４）、これを端末１３へ送信する（Ｂ５→Ａ２）。
【００４６】
このように入力画面を受信すると、端末１３は、これをディスプレイ等の表示装置に表示し（Ａ３）、画面上の各欄に更新内容を入力させる（Ａ４）。但し、図７に示す入力画面には、表示時に更新前の登録内容が記載されている。
【００４７】
このように所定情報を入力後、ユーザにより『更新内容保存』ボタンがマウス等のＧＵＩ（Ｇｒａｐｈｉｃａｌ　Ｕｓｅｒ　Ｉｎｔｅｒｆａｃｅ）等を用いて選択されると、端末１３は、更新内容を特定し、これを関心事作成サーバ１１へ送信する（Ａ５→Ｂ６）。このように更新内容を受信した関心事作成サーバ１１は、更新内容を想定関心事データベース１２へ送信し（Ｂ７→Ｃ３）、想定関心事データベース１２において該当する項目を更新させる（Ｃ４）。
【００４８】
このように動作することで、端末１３を用いて想定関心事データベース１２の登録内容を更新することができる。
【００４９】
また、図６のシーケンスを用いて、関心事作成サーバ１１が想定関心事を作成する際に参考となる情報を取得する際の動作を説明する。
【００５０】
本動作において、まず、関心事作成サーバ１１は、想定関心事データベース１２に登録・設定された所定期間が満了したか否かを判定する（Ｂ１１→Ｂ１２）。
【００５１】
所定期間が満了した場合、関心事作成サーバ１１は、想定関心事データベース１２にカテゴリ毎の検索条件を要求し（Ｂ１３→Ｃ１１）、これに対応してカテゴリ毎の検索条件を取得する（Ｃ１２→Ｂ１４）。
【００５２】
カテゴリ毎の検索条件を取得すると、関心事作成サーバ１１は、取得した内容におけるカテゴリの数を特定し（Ｂ１５）、この数を‘Ｎ’に設定し（Ｎ＝（カテゴリ数））、且つ‘Ｋ’に‘１’を設定する（Ｋ＝１）（Ｂ１６）。
【００５３】
このように、Ｎ＝（カテゴリ数）を設定すると、関心事作成サーバ１１は、次に‘Ｎ’が‘０’であるか否かを判定し（Ｂ１７）、‘Ｎ’が‘０’で有る場合、処理を終了する。また、‘Ｎ’が‘０’でない場合、関心事作成サーバ１１は、何れかのカテゴリを選択し、このカテゴリに対応する検索条件を検索サーバ２０へ送信する（Ｂ１９→Ｄ１１）。尚、カテゴリの選択は、例えばラウンドロビン的に順次、データ配列上の上から選択するよう構成すると良い。
【００５４】
これに対し、検索サーバ２０は、受信した検索条件に基づいて検索を実行し（Ｄ１２）、得られた検索結果を関心事作成サーバ１１へ送信する（Ｄ１３→Ｂ２０）。
【００５５】
検索結果を受信すると、関心事作成サーバ１１は、検索結果に含まれるＵＲＬの数を特定し（Ｂ２１）、この数を‘ｎ’に設定し（ｎ＝（ＵＲＬ数））、且つ‘ｋ’に‘１’を設定する（ｋ＝１）（Ｂ２２）。
【００５６】
このように、ｎ＝（ＵＲＬ数）を設定すると、関心事作成サーバ１１は、次に‘ｎ’が‘０’であるか否かを判定し（Ｂ２３）、‘ｎ’が‘０’で有る場合、Ｂ３４へ移行する。また、‘ｎ’が‘０’でない場合、関心事作成サーバ１１は、検索結果に含まれるＵＲＬの何れか１つを選択し、このＵＲＬに対応するホームページ（ＨＴＭＬ形式やＸＭＬ形式等のファイル）をインターネット１上に要求する（Ｂ２４→Ｅ１１）。尚、ＵＲＬの選択は、例えばラウンドロビン的に順次、データ配列上の上から選択するよう構成すると良い。
【００５７】
これに対してホームページを受信すると（Ｅ１２→Ｂ２６）、関心事作成サーバ１１は、取得したホームページの更新日を特定し（Ｂ２７）、特定した更新日が上記の所定の期間に属しているか否かを判定する（Ｂ２８）。尚、更新日の特定方法は、上述において説明した通りである。
【００５８】
この判定の結果、更新日が所定期間に属していない場合、関心事作成サーバ１１は、このＵＲＬを検索結果から破棄し（Ｂ２９）、Ｂ３１へ移行する。また、更新日が所定期間に属している場合、関心事作成サーバ１１は、そのままＢ３１へ移行する。
【００５９】
Ｂ３１において関心事作成サーバ１１は、‘ｋ’を１インクリメントし、インクリメント後の‘ｋ’が‘ｎ’と等しいか否かを判定する（Ｂ３２）。この判定の結果、‘ｋ’が‘ｎ’と等しくない（ｋ＜ｎでもよい）場合、関心事検索サーバ１１は、Ｂ２５に帰還して、次のＵＲＬに関して同様の処理を実行する。これに対して、‘ｋ’が‘ｎ’と等しい場合、関心事作成サーバ１１は、‘Ｋ’を１インクリメントし（Ｂ３４）、インクリメント後の‘Ｋ’が‘Ｎ’と等しいか否かを判定する（Ｂ３５）。この判定の結果、‘Ｋ’が‘Ｎ’と等しくない（Ｋ＜Ｎでもよい）場合、関心事作成サーバ１１は、Ｂ１９へ帰還し、次のカテゴリに関して同様の処理を実行する。これに対して、‘Ｋ’が‘Ｎ’と等しい場合、関心事作成サーバ１１は、残った検索結果を想定関心事データベース１２へ送信し（Ｂ３６→Ｃ１３）、これを登録させる（Ｃ１４）。
【００６０】
このように動作することで、想定関心事データベース１２において期間毎の検索結果を格納することができ、これに基づいて的確に想定関心事を更新することができる。
【００６１】
尚、上述の機能構成及び動作は、プログラムを用いて実現することができる。この構成において、本実施例によるプログラムが組み込まれ、上記構成及び動作を実現する装置の構成を図８のブロック図に示す。
【００６２】
〔第２の実施例〕
また、第１の実施例における検索結果を用いて、より詳細にＣＬ側が現在又は将来抱くであろう関心事を作成するための検索結果を取得するように構成することも可能である。以下、これを第２の実施例として説明する。
【００６３】
本実施例では、図２及び図３に示す想定関心事検索表を想定関心事データベース１２においてＣＬ毎に格納することで構成することが可能である。また、関心事作成サーバ１１の動作としては、図６に示す動作をＣＬ毎に行うよう構成することで実現可能である。尚、これ以外の構成及び動作は、第１の実施例と同様であるため、ここでは説明を省略する。
【００６４】
〔他の実施例〕
また、上記した各実施例は、本発明を好適に実施した形態の一例に過ぎず、本発明は、その主旨を逸脱しない限り、種々変形して実施することが可能なものである。
【００６５】
【発明の効果】
以上、説明したように、請求項１記載の発明によれば、個々のクライアントの現在持っている又は将来持つであろう関心毎を的確に捉えられる関心事作成装置が提供される。即ち、本発明では、クライアントのニーズに適応した検索条件を用いて定期的又は任意のタイミングでサイトの検索を行うことにより、略リアルタイムでクライアントに生じるであろう関心事を作成することが可能となる。
【００６６】
更に、請求項２記載の発明によれば、情報の新鮮さを限定しているため、よりリアルタイムにクライアントの関心事を作成することが可能となり、また、関心事の取得側における古い情報を選別する手間を省くことが可能となる。
【００６７】
更に、請求項３記載の発明によれば、クライアント毎に要求されるニーズを特定し、これに応じてきめ細やかな関心事を作成することが可能となる。
【００６８】
また、請求項４記載の発明によれば、個々のクライアントの現在持っている又は将来持つであろう関心毎を的確に捉えられる関心事作成方法が提供される。即ち、本発明では、クライアントのニーズに適応した検索条件を用いて定期的又は任意のタイミングでサイトの検索を行うことにより、略リアルタイムでクライアントに生じるであろう関心事を作成することが可能となる。
【００６９】
更に、請求項５記載の発明によれば、情報の新鮮さを限定しているため、よりリアルタイムにクライアントの関心事を作成することが可能となり、また、関心事の取得側における古い情報を選別する手間を省くことが可能となる。
【００７０】
更に、請求項６記載の発明によれば、クライアント毎に要求されるニーズを特定し、これに応じてきめ細やかな関心事を作成することが可能となる。
【００７１】
また、請求項７記載の発明によれば、個々のクライアントの現在持っている又は将来持つであろう関心毎を的確に捉えさせる環境を実現するプログラムが提供される。即ち、本発明では、クライアントのニーズに適応した検索条件を用いて定期的又は任意のタイミングでサイトの検索を行うことにより、略リアルタイムでクライアントに生じるであろう関心事を作成ことを可能とする環境を提供することができる。
【００７２】
更に、請求項８記載の発明によれば、情報の新鮮さを限定しているため、よりリアルタイムにクライアントの関心事を作成することが可能な環境を提供することができ、また、関心事の取得側における古い情報を選別する手間を省くことが可能な環境を提供することができる。
【００７３】
更に、請求項９記載の発明によれば、クライアント毎に要求されるニーズを特定し、これに応じてきめ細やかな関心事を作成することが可能な環境を提供することができる。
【００７４】
また、請求項１０記載の発明によれば、上記の効果を奏するプログラムを記録媒体を用いて広く頒布することが可能となる。
【図面の簡単な説明】
【図１】本発明の第１の実施例による関心事取得システムの概略構成を示すブロック図である。
【図２】想定関心事データベース１２のデータ構成を示すテーブルである。
【図３】想定関心事データベース１２における検索結果のデータ構成を詳細に示すテーブル
【図４】関心事取得サーバ１１の機能構成を示すブロック図である。
【図５】本発明の第１の実施例において端末１３より想定関心事データベース１２の登録内容を更新する際の動作を示すシーケンスである。
【図６】本発明の第１の実施例において関心事取得サーバ１１が検索サーバ２０より検索結果を取得して想定関心事データベース１２へ格納する際の動作を示すシーケンスである。
【図７】図５のＢ４で作成される入力画面を示す図である。
【図８】本発明の第１の実施例による関心事取得サーバ１１が実現される装置の構成を示すブロック図である。
【符号の説明】
１　インターネット
１１　関心事取得サーバ
１２　想定関心事データベース
１３　端末
１４　ＬＡＮ
２０　検索サーバ
３０　情報サイト
１１０　検索結果送信部
１１１　想定関心事更新部
１１２　検索条件登録部
１１３　検索期間指定部
１１４　検索条件入力部
１１５　検索結果取得部
１１６　更新日特定部
１１７　検索結果格納部
１０００　内部バス
１００１　ＣＰＵ（Ｃｅｎｔｒａｌ　Ｐｒｏｃｅｓｓｉｎｇ　Ｕｎｉｔ）１１
１００２　メモリ
１００３　入力装置
１００４　表示装置
１００５　内部記録装置
１００６　Ｉ／Ｏインタフェース
１００７　ネットワークインタフェース
【図１】
2004021726.tif 000003
【図２】
2004021726.tif 000004
【図３】
2004021726.tif 000005
【図４】
2004021726.tif 000006
【図５】
2004021726.tif 000007
【図６】
2004021726.tif 000008
【図７】
2004021726.tif 000009
【図８】
2004021726.tif 000010